(57)【要約】【課題】殺菌光束で皮膚表面及び毛穴内の細菌に照射し、細菌の自然死を引き起こすことにより、優れた殺菌、清潔及び美肌効果を有する美肌装置を提供する。【解決手段】美肌装置１０は、ケース１と、押し棒２と、殺菌灯４と、蓋体５を含む。押し棒２は、互いに対向する第１端部２１及び第２端部２２を有する。第１端部２１は、ケース１の内部に埋設され、第２端部２２は、ケース１の一端から露出され、押出し部２３を有する。押出し部２３には、透孔２３１が設けられる。殺菌灯４は、ケース１に取り付けられ、透孔２３１を通過する複数の殺菌光束４１を生成する。蓋体５は、ケース１の一端に装着できるとともに、第２端部２２を覆う。蓋体５は、集光レンズ５１を有する。集光レンズ５１は、透孔２３１及び殺菌灯４に対応して配置される。【選択図】図１
2017051588.tif 000002
【特許請求の範囲】
【請求項１】
美肌装置であって、
ケース（１）と、押し棒（２）と、殺菌灯（４）と、を含み、
前記押し棒（２）は、互いに対向する第１端部（２１）及び第２端部（２２）を有し、
前記第１端部（２１）は、前記ケース（１）の内部に埋設され、
前記第２端部（２２）は、前記ケース（１）の一端から露出され、透孔（２３１）が設けられる押出し部（２３）を有し、
前記殺菌灯（４）は、前記ケース（１）に取り付けられ、前記透孔（２３１）を通過する複数の殺菌光束（４１）を生成する殺菌光源（４２）を有することを特徴とする美肌装置。
【請求項２】
超音波発振器（３）と、回路基板（６）と、電池（７）と、をさらに含み、
前記超音波発振器（３）は、前記第１端部（２１）に取り付けられ、
前記回路基板（６）及び前記電池（７）のそれぞれは、前記ケース（１）の内部に収容され、
前記回路基板（６）は、前記電池（７）、前記超音波発振器（３）及び前記殺菌光源（４２）のそれぞれに電気的に接続されることを特徴とする請求項１に記載の美肌装置。
【請求項３】
前記殺菌光源（４２）は、光軸（Ｌ）を有し、
前記光軸（Ｌ）は、前記押出し部（２３）に対して鋭角（θ２）を形成し、
前記鋭角（θ２）は、２５°〜６０°の範囲であり、
前記殺菌光源（４２）は、青色ＬＥＤ又は赤色ＬＥＤを含むことを特徴とする請求項１に記載の美肌装置。
【請求項４】
前記透孔（２３１）は、内壁（２３２）を有し、
前記内壁（２３２）の一側は、前記ケース（１）に近い下端縁（２３３）を有し、
前記内壁（２３２）の他側は、前記ケース（１）から離れる上端縁（２３４）を有し、
前記殺菌灯（４）は、導光レンズ（４３）をさらに含み、
前記導光レンズ（４３）は、前記殺菌光源（４２）を覆い、前記殺菌光束（４１）の一部を前記下端縁（２３３）から前記上端縁（２３４）に向けてシフトさせるように案内することを特徴とする請求項３に記載の美肌装置。
【請求項５】
前記導光レンズ（４３）の外周壁は、椀型の反射壁（４３１）を有し、
前記導光レンズ（４３）の頂面は、光透過性を有する凹弧面（４３２）を有することを特徴とする請求項４に記載の美肌装置。
【請求項６】
前記導光レンズ（４３）は、椀型の反射シート（４３３）と、光透過シート（４３４）と、を含み、
前記椀型の反射シート（４３３）は、前記殺菌光源（４２）と前記光透過シート（４３４）との間に配置され、
前記光透過シート（４３４）は、互いに対向する凸弧面（４３５）及び平面（４３６）を有し、
前記凸弧面（４３５）は、前記殺菌光源（４２）に対応して配置されることを特徴とする請求項４に記載の美肌装置。
【請求項７】
前記ケース（１）の一端は、孔部（１２）と光透過部（１３）とを有する端面（１１）を有し、
前記押し棒（２）は、前記孔部（１２）に挿接され、
前記殺菌光源（４２）は、前記光透過部（１３）に対応して配置されることを特徴とする請求項３に記載の美肌装置。
【請求項８】
前記第２端部（２２）は、平坦段部（２２１）と、当該平坦段部（２２１）の一端から延びる傾斜段部（２２２）と、を有し、
前記平坦段部（２２１）は、前記傾斜段部（２２２）に対して鈍角（θ１）を形成し、
前記鈍角（θ１）は、１４０°〜１６５°の範囲であり、
前記押出し部（２３）は、前記傾斜段部（２２２）に形成され、前記傾斜段部（２２２）の一端から延びるリング部（２２３）を含み、
前記透孔（２３１）は、前記リング部（２２３）の内部に形成されることを特徴とする請求項１に記載の美肌装置。
【請求項９】
前記ケース（１）の一端に装着できるとともに、前記第２端部（２２）を覆い、集光レンズ（５１）を有する蓋体（５）をさらに含み、
前記集光レンズ（５１）は、前記透孔（２３１）及び前記殺菌灯（４）に対応して配置されることを特徴とする請求項１に記載の美肌装置。
【請求項１０】
前記集光レンズ（５１）は、互いに対向する凸曲面（５１１）及び光拡散面（５１２）を有し、
前記凸曲面（５１１）は、前記透孔（２３１）に対応して配置されることを特徴とする請求項９に記載の美肌装置。
【請求項１１】
前記集光レンズ（５１）は、互いに対向する第１の凸曲面（５１３）及び第２の凸曲面（５１４）を有することを特徴とする請求項９に記載の美肌装置。
【請求項１２】
前記集光レンズ（５１）は、互いに対向する凸曲面（５１１’）及び非球面（５１５）を有し、
前記非球面（５１５）は、前記透孔（２３１）に対応して配置されることを特徴とする請求項９に記載の美肌装置。
【発明の詳細な説明】
【技術分野】
【０００１】
本発明は、人体の皮膚の角栓やニキビを除去する美容装置であり、特に、美肌装置に関する。
【背景技術】
【０００２】
皮膚表面をぶつぶつにしたり、化膿して隆起したりする角栓やニキビは、見た目が悪い。これらの角栓やニキビを取り除くには、手で押し出すか、又は薬による治療がよく知られている。しかし、手で押し出すのは、きれいに取り除けないばかりか、清潔面において不十分といった問題があり、薬による治療は、効果が緩慢又は治療時間が長いといった問題があった。そのため、手で押し出す代わりに、市場に超音波美容器が出回っている。
【０００３】
従来の超音波美容器は、主として、押し棒及び発振器を含んでいる。発振器は、押し棒に取り付けられ、発振周波数が１ＭＨｚ〜３ＭＨｚである。押し棒は、患部を押し出すときに、この発振器により微細な振動が生じることで、角栓やニキビを完全に取り除くことに寄与する。これにより、従来の超音波美容器は、きれいに取り除くことができ、迅速に治療することが可能になる。
【発明の概要】
【発明が解決しようとする課題】
【０００４】
しかしながら、従来の超音波美容器は、次の欠点があった。押し棒により皮膚から角栓やニキビを押し出す際に、どうしても皮膚を傷つけてしまう。しかも、押し棒本体又は外部の環境に細菌が存在すると、細菌が傷口から侵入して使用者に感染し、角栓やニキビがより悪化するので、超音波美容器の効果が大きく失われることになる。
【０００５】
本発明者は、上記欠点を解消するため、慎重に研究し、また、学理を活用して、上記欠点を解消することのできる本発明を提案する。
【課題を解決するための手段】
【０００６】
本発明の美肌装置は、ケースと、押し棒と、殺菌灯と、を含み、前記押し棒は、互いに対向する第１端部及び第２端部を有し、前記第１端部は、前記ケースの内部に埋設され、前記第２端部は、前記ケースの一端から露出され、透孔が設けられる押出し部を有し、前記殺菌灯は、前記ケースに取り付けられ、前記透孔を通過する複数の殺菌光束を生成する殺菌光源を含む。
【発明の効果】
【０００７】
本発明によれば、殺菌灯を有する美肌装置を提供することができる。殺菌灯が殺菌光束を生成し、殺菌光束を皮膚表面及び毛穴内の細菌に照射すると、細菌の自然死を引き起こす。これにより、本発明の美肌装置は、優れた殺菌、清潔及び美肌効果を有することができる。
【０００８】
また、押出し部は、第２端部の一端から延びるリングを含み、透孔は、リング部の内部に形成される。リング部の端部は、小面積領域における古い角質を除去する手段として機能し、透孔は、大面積領域における角栓を除去する手段として機能することが可能である。さらに、押出し部は、超音波発振器と組み合わせることが好ましく、第１端部を支点とすることで、第２端部に高周波での叩き効果が増幅されることになる。これにより、押出し部が肌の深部までマッサージし、皮膚から角栓やニキビを押出したり振動で浮かせたりしやすくなることができる。押出し部や透孔で角栓又はニキビを押出す際、殺菌灯によって生成されて透孔を通過する殺菌光束が青色である場合、皮膚表面及び毛穴内の細菌に照射すると、細菌の自然死を引き起こす効果を有し、また、殺菌光束が赤色である場合、コラーゲン生成の促進、創傷治癒の促進、肌の引き締め、ニキビの除去などの効果を有する。また、蓋体の集光レンズは、透孔に対応して配置され、配光分布を補正することで、集光レンズを透過する殺菌光束のエネルギー分布を均一させ、集光レンズにより集光されて出射される殺菌光束が最適な照射エネルギー値及び均一性を有することができる。これにより、集光レンズにより出射される殺菌光束を皮膚に照射すると、皮膚の赤い腫れを効果的に治療や緩和することができる。
【図面の簡単な説明】
【０００９】
【図１】本発明に係る美肌装置を示す斜視分解図である。
【図２】本発明に係る美肌装置を示す他の斜視分解図である。
【図３】本発明に係る美肌装置を示す概略断面図である。
【図４Ａ】本発明に係る導光レンズの第１実施例を示す概略断面図である。
【図４Ｂ】本発明に係る導光レンズの第２実施例を示す概略断面図である。
【図５Ａ】本発明に係る集光レンズの第１実施例を示す概略断面図である。
【図５Ｂ】本発明に係る集光レンズの第２実施例を示す概略断面図である。
【図５Ｃ】本発明に係る集光レンズの第３実施例を示す概略断面図である。
【図６】本発明に係る美肌装置の使用状態を示す概略図である。
【図７】本発明に係る美肌装置の他の使用状態を示す概略図である。
【図８】本発明に係る美肌装置の別の使用状態を示す概略図である。
【図９】本発明に係る美肌装置のさらに他の使用状態を示す概略図である。
【発明を実施するための形態】
【００１０】
本発明の詳細な説明及び技術内容について、図面を参照して以下に説明するが、図面は、ただ参考及び説明に用いるのみであり、本発明に制限を加えるものではない。
【００１１】
図１〜図９に示すように、本発明に係る美肌装置１０は、主として、ケース１と、押し棒２と、殺菌灯４と、蓋体５を含んでいる。
【００１２】
図１〜図３に示すように、本実施例におけるケース１は、細長いケースであるが、これに限定されず、任意の幾何形状を有するケースであってもよい。また、ケース１の一端は、端面１１を有し、端面１１は、孔部１２と光透過部１３とを有している。
【００１３】
図１〜図３に示すように、押し棒２は、孔部１２に挿接され、互いに対向する第１端部２１及び第２端部２２を有している。第１端部２１は、ケース１の内部に埋設され、第２端部２２は、ケース１の一端から露出され、押出し部２３を有している。押出し部２３には、透孔２３１が設けられている。
【００１４】
より詳細に、第２端部２２は、平坦段部２２１と、平坦段部２２１の一端から延びる傾斜段部２２２とを有している。平坦段部２２１と傾斜段部２２２とが鈍角θ１を形成している。鈍角θ１は、１４０°〜１６５°の範囲である。押出し部２３は、傾斜段部２２２に形成されている。
【００１５】
また、押出し部２３は、傾斜段部２２２の一端から延びるリング部２２３を含んでいる。透孔２３１は、リング部２２３の内部に形成され、内壁２３２を有している。内壁２３２の一側は、ケース１に近い下端縁２３３を有し、他側は、ケース１から離れる上端縁２３４を有している。
【００１６】
図２〜図３に示すように、美肌装置１０は、超音波発振器３をさらに含んでいる。超音波発振器３は、第１端部２１に取り付けられ、発振周波数が１ＭＨｚ〜３ＭＨｚである。押出し部２３で押し出しを行う際に、超音波発振器３により押出し部２３が高速で微振動するようになる。
【００１７】
図２〜図３に示すように、殺菌灯４は、ケース１に取り付けられている。殺菌灯４は、殺菌光源４２を含んでいる。殺菌光源４２は、透孔２３１を通過する複数の殺菌光束４１を生成する。殺菌光源４２は、光軸Ｌを有し、光軸Ｌと押出し部２３とが鋭角θ２を形成している。鋭角θ２は、２５°〜６０°の範囲である。
【００１８】
殺菌光源４２は、青色ＬＥＤ（Ｌｉｇｈｔ−Ｅｍｉｔｔｉｎｇ  Ｄｉｏｄｅ）又は赤色ＬＥＤ（Ｌｉｇｈｔ−Ｅｍｉｔｔｉｎｇ  Ｄｉｏｄｅ）を含んでいる。殺菌光束４１は、青色ＬＥＤによって生成される４１５ｎｍの波長を有する青色光であってもよい。４１５ｎｍの波長を有する青光で皮膚表面及び毛穴内のアクネ菌に照射すると、アクネ菌内部の感光性物質である「ポルフィリン」に吸収されることで、アクネ菌を自滅させることができる。殺菌光束４１は、赤色ＬＥＤによって生成される６６０ｎｍ＋／−３０ｎｍの波長を有する赤色光であってもよい。６６０ｎｍ＋／−３０ｎｍの波長を有する赤色光は、皮膚科学分野において、コラーゲン生成の促進、創傷治癒の促進、肌の引き締め、ニキビの除去などの効果を有している。
【００１９】
さらに、殺菌灯４について以下のように説明する。殺菌灯４は、導光レンズ４３をさらに含んでいる。導光レンズ４３は、殺菌光源４２を覆っている。導光レンズ４３は、殺菌光束４１の一部を下端縁２３３から上端縁２３４に向けてシフトさせるように案内する。即ち、殺菌光束４１の一部の進行方向が変わって下端縁２３３から上端縁２３４に向かって照射する。
【００２０】
また、図４Ａに示すように、本発明に係る導光レンズ４３の第１実施例において、導光レンズ４３は、外周壁が椀型の反射壁４３１を有し、頂面が光透過性を有する凹弧面４３２を有している。椀型の反射壁４３１は、光線を反射して光透過性を有する凹弧面４３２に照射させるように案内するために用いられる。光線が光透過性を有する凹弧面４３２を透過すると、集光効果を得ることができる。
【００２１】
さらに、図４Ｂに示すように、本発明に係る導光レンズ４３の第２実施例において、導光レンズ４３は、椀型の反射シート４３３と、光透過シート４３４とを含んでいる。椀型の反射シート４３３は、殺菌光源４２と光透過シート４３４との間に配置されている。光透過シート４３４は、互いに対向する凸弧面４３５及び平面４３６を有している。凸弧面４３５は、殺菌光源４２に対応して配置されている。椀型の反射シート４３３は、光線を反射して光透過シート４３４に照射させるように案内するために用いられている。光線が凸弧面４３５を透過すると、集光効果を得ることができる。
【００２２】
図１〜図３に示すように、蓋体５は、ケース１の一端に装着できるとともに、第２端部２２を覆うことが可能である。蓋体５は、集光レンズ５１を有している。集光レンズ５１は、透孔２３１及び殺菌灯４に対応して配置されている。
【００２３】
より詳細に、図５Ａに示すように、本発明に係る集光レンズ５１の第１実施例において、集光レンズ５１は、互いに対向する凸曲面５１１及び光拡散面５１２を有している。凸曲面５１１は、透孔２３１に対応して配置されている。光線が凸曲面５１１を透過すると、集光効果を得ることができる。
【００２４】
また、図５Ｂに示すように、本発明に係る集光レンズ５１の第２実施例において、集光レンズ５１は、互いに対向する第１の凸曲面５１３及び第２の凸曲面５１４を有している。第１の凸曲面５１３は、透孔２３１に対応して配置されている。光線が第１の凸曲面５１３及び第２の凸曲面５１４を透過すると、集光効果を得ることができる。
【００２５】
さらに、図５Ｃに示すように、本発明に係る集光レンズ５１の第３実施例において、集光レンズ５１は、互いに対向する凸曲面５１１’及び非球面５１５を有している。非球面５１５は、透孔２３１に対応して配置されている。光線が非球面５１５及び凸曲面５１１’を透過すると、集光効果を得ることができる。
【００２６】
図２〜図３に示すように、本発明に係る美肌装置１０は、回路基板６と、電池７とをさらに含んでいる。回路基板６及び電池７のそれぞれは、ケース１の内部に収容されている。回路基板６は、電池７に電気的に接続されている。回路基板６は、超音波発振器３及び殺菌光源４２のそれぞれに電気的に接続されている。
【００２７】
図３に示すように、本発明に係る美肌装置１０の組み合わせ例として、押し棒２は、互いに対向する第１端部２１及び第２端部２２を有している。第１端部２１は、ケース１の内部に埋設され、第２端部２２は、ケース１の一端から露出され、押出し部２３を有している。押出し部２３には、透孔２３１が設けられている。殺菌灯４は、ケース１に取り付けられている。殺菌灯４は、殺菌光源４２を含んでいる。殺菌光源４２は、透孔２３１を通過する複数の殺菌光束４１を生成する。
【００２８】
図３に示すように、本発明に係る美肌装置１０の他の組み合わせ例として、押し棒２は、互いに対向する第１端部２１及び第２端部２２を有している。第１端部２１は、ケース１の内部に埋設され、第２端部２２は、ケース１の一端から露出され、押出し部２３を有している。押出し部２３には、透孔２３１が設けられている。殺菌灯４は、ケース１に取り付けられている。殺菌灯４は、殺菌光源４２を含んでいる。殺菌光源４２は、透孔２３１を通過する複数の殺菌光束４１を生成する。蓋体５は、ケース１の一端に装着できるとともに、第２端部２２を覆うことが可能である。蓋体５は、集光レンズ５１を有している。集光レンズ５１は、透孔２３１及び殺菌灯４に対応して配置されている。
【００２９】
図３、図６〜図７に示すように、本発明に係る美肌装置１０の第１の使用状態において、押出し部２３及び透孔２３１によって角栓やニキビを押し出す際に、美肌装置１０は、超音波発振器３をさらに含んでいる。超音波発振器３は、第１端部２１に取り付けられ、第１端部２１を支点とすることで、第２端部２２に高周波での叩き効果が増幅されることにより、押出し部２３が肌の深部までマッサージし、皮膚から角栓やニキビを押出したり振動で浮かせたりしやすくなることができる。
【００３０】
また、押出し部２３は、傾斜段部２２２の一端から延びるリング部２２３を含んでいる。透孔２３１は、リング部２２３の内部に形成されている。図６に示すように、リング部２２３の端部は、小面積領域における古い角質を除去する手段として機能することが可能である。図７に示すように、透孔２３１は、大面積領域における角栓を除去する手段として機能することが可能である。
【００３１】
図８に示すように、本発明に係る美肌装置１０の第２の使用状態において、押出し部２３及び透孔２３１は、角栓やニキビを押し出す際に、殺菌光源４２が透孔２３１を通過する複数の殺菌光束４１を生成する。ここで、殺菌光束４１が青色光である場合には、皮膚表面及び毛穴内の細菌の自然死を引き起こすことができ、殺菌光束４１が赤色光である場合には、コラーゲン生成の促進、創傷治癒の促進、肌の引き締め、ニキビの除去などの効果を有している。そのため、美肌装置１０は、優れた殺菌、清潔及び美肌効果を有することができる。
【００３２】
また、殺菌灯４は、導光レンズ４３をさらに含んでいる。導光レンズ４３は、殺菌光源４２を覆っている。これにより、殺菌光束４１は、導光レンズ４３を透過することにより、透孔２３１の領域を集中し均一的に照射することができる。この結果、美肌装置１０は、皮膚の清潔、殺菌及び美肌効果を有することができる。
【００３３】
図９に示すように、本発明に係る美肌装置１０の第３の使用状態において、蓋体５をケース１に組立て、蓋体５の集光レンズ５１は、透孔２３１に対応して配置されている。導光レンズ４３は、殺菌光束４１の一部を下端縁２３３から上端縁２３４に向けてシフトさせるように案内するため、殺菌光束４１が蓋体５に入射する際、エネルギーの不均一現象が生じる。ここで、集光レンズ５１は、配光分布を補正することで、集光レンズ５１を透過する殺菌光束４１のエネルギー分布を均一させ、集光レンズ５１により集光されて出射される殺菌光束４１が最適な照射エネルギー値及び均一性を有することができる。これにより、集光レンズ５１により出射される殺菌光束４１を皮膚に照射すると、皮膚の赤い腫れを効果的に治療や緩和することができる。
【００３４】
以上、本発明に係る美肌装置は、同類の製品に見られず、公開使用もされていないものであり、また、産業上の利用可能性、新規性および進歩性を備えたものである。このため、本発明に係る美肌装置は、発明特許の出願要件を完全に満たすものであり、ここに特許法に基づき特許を出願するに至ったものである。
【符号の説明】
【００３５】
１０…美肌装置
１…ケース
１１…端面
１２…孔部
１３…光透過部
２…押し棒
２１…第１端部
２２…第２端部
２２１…平坦段部
２２２…傾斜段部
２２３…リング部
２３…押出し部
２３１…透孔
２３２…内壁
２３３…下端縁
２３４…上端縁
３…超音波発振器
４…殺菌灯
４１…殺菌光束
４２…殺菌光源
４３…導光レンズ
４３１…椀型の反射壁
４３２…光透過性を有する凹弧面
４３３…椀型の反射シート
４３４…光透過シート
４３５…凸弧面
４３６…平面
５…蓋体
５１…集光レンズ
５１１、５１１’…凸曲面
５１２…光拡散面
５１３…第１の凸曲面
５１４…第２の凸曲面
５１５…非球面
６…回路基板
７…電池
Ｌ…光軸
θ１…鈍角
θ２…鋭角
【図１】
2017051588.tif 000003
【図２】
2017051588.tif 000004
【図３】
2017051588.tif 000005
【図４Ａ】
2017051588.tif 000006
【図４Ｂ】
2017051588.tif 000007
【図５Ａ】
2017051588.tif 000008
【図５Ｂ】
2017051588.tif 000009
【図５Ｃ】
2017051588.tif 000010
【図６】
2017051588.tif 000011
【図７】
2017051588.tif 000012
【図８】
2017051588.tif 000013
【図９】
2017051588.tif 000014